(57)【要約】 【課題】指先に装着する指圧用器具において、指圧効果に優れ且つ使い易い器具を提供する。【解決手段】指先形状に対応するベース部１における指元側の側方に、バンド連結部１２を突設し、ベース部１の先端部下面に半球状の指圧用突起２を設け、バンド連結部１２に、指先を締め付けて装着可能な適宜なバンド３を付設してなり、単一の半球状の指圧用突起２によって押圧力が集中すると共に、指圧用突起２がベース部１の先端部下面に設けており、押圧力が器具装着個所（バンド３の位地）と関わりなく加えることができるので、指先に力を加え易い。【選択図】図１
0003190812.tif 000002
【実用新案登録請求の範囲】
【請求項１】
指先形状に対応するベース部における指元側の側方に、バンド連結部を突設し、ベース部の先端部下面に半球状の指圧用突起を設け、バンド連結部に指先を締め付けて装着可能な適宜なバンドを付設してなることを特徴とする指先装着用指圧具。
【請求項２】
ベース部の指元側の側縁部分を湾曲して立ち上げると共に、開翼状に斜め方向に突設し、当該突設箇所にバンド連結取付用孔を形成してバンド連結部としてなる請求項１記載の指先装着用指圧具。
【請求項３】
指圧用突起内に永久磁石を埋設してなる請求項１又は２記載の指先装着用指圧具。
【請求項４】
ベース部及び指圧用突起を金属製としてなる請求項１乃至３記載の何れかの指先装着用指圧具。
【請求項５】
純チタン製又はチタン合金製としてなる請求項４記載の指先装着用指圧具。
【請求項６】
ベース部及び指圧用突起を樹脂一体成型で形成してなる請求項１乃至３記載の何れかの指先装着用指圧具。
【請求項７】
バンドを面ファスナーで形成してなる請求項１乃至６記載の何れかの指先装着用指圧具。
【請求項８】
バンドを、伸縮性を備えた帯体で形成してなる請求項１乃至６記載の何れかの指先装着用指圧具。
【考案の詳細な説明】
【技術分野】
【０００１】
本考案は、特に携帯可能な指先装着用指圧具に関するものである。
【背景技術】
【０００２】
携帯用指圧具については種々提案されているが、特に指先に装着する器具としては、特許文献１（特開２００９−４５２８３号公報）に、指先の下に位置するベース部の下面に多数の突起を設け、指先前方と両側方に位置して装着した指先が前方に滑り出ないようにしたカバー部を設けた器具が開示されている。
【０００３】
また特許文献２（実用新案登録３１２０２３６号公報）には、指輪型のリング本体にツボ押し用突起が２個並設されている器具が開示されている。
【先行技術文献】
【特許文献】
【０００４】
【特許文献１】特開２００９−４５２８３号公報。
【特許文献２】実用新案登録３１２０２３６号公報。
【考案の概要】
【考案が解決しようとする課題】
【０００５】
指圧は、人の指先で身体の所定の部位を押圧刺激するものであり、押圧面積が広いと当該部位に対する刺激が分散されてしまうので、指圧具における指圧部位形状もできるだけ指先形状に近似したほうが望ましい。しかし前記特許文献１，２に開示されている指先装着の指圧具は、複数の突起を備え必ずしも指圧効果に優れているとは言えない。
【０００６】
また指圧において、施術者の指先腹部分での押圧の力が、効果的に被施術者に対する押圧刺激となる必要がある。このため指圧具においても指先への器具装着が、指先押圧力が発揮しやすく且つ押圧が適切になされる構造が望まれるが、前記特許文献１においては、器具装着方向（器具がずれたり外れないように作用する力の方向）と非施術者に対する押圧方向が相違し、また特許文献２の器具では、器具装着部位が爪よりも指元になり、指先の腹部分での押圧刺激がなされない。また前記の押圧施術に際して器具がずれたり外れないようにしながら行う必要がある。
【０００７】
そこで本考案は、施術者が指圧を効果的に行うことができる携帯可能な指先装着用指圧具を提案したものである。
【課題を解決するための手段】
【０００８】
本願請求項１記載の考案に係る指先装着用指圧具は、指先形状に対応するベース部における指元側の側方に、バンド連結部を突設し、ベース部の先端部下面に半球状の指圧用突起を設け、バンド連結部に、指先を締め付けて装着可能な適宜なバンドを付設してなることを特徴とするものである。
【０００９】
しかして前記器具は、ベース部に施術者（器具使用者）の指先を載せ、バンドを指先の爪より指元側で締め付けて装着し、指圧用突起で被施術者の身体の所定の部位を押圧刺激するものであり、特に半球状突起によって押圧力が集中すると共に、前記半球状突起はベース部の先端部下面に設けており、押圧力が器具装着と関わりなく加えることができるので、指先に力を加え易く、且つ前記の押圧力が被施術者に対して効果的に加えられるものである。
【００１０】
また本願請求項２記載の考案に係る指先装着用指圧具は、ベース部の指元側の側縁部分を湾曲して立ち上げると共に、開翼状に斜め方向に突設し、当該突設箇所にバンド連結取付用孔を形成してバンド連結部としてなるものである。
【００１１】
前記の構成によって、バンド連結部にバンドを装着しやすくなると共に、装着時のバンド締め付け操作が容易に行うことができ、且つバンドの締め付けでベース部が指先に安定して装着される。
【００１２】
また本願請求項２記載の考案に係る指先装着用指圧具は、更に指圧用突起内に永久磁石を埋設してなるもので、指圧時に磁気的作用も奏するものである。
【考案の効果】
【００１３】
本考案の構成は上記のとおりで、従前器具のように器具装着に気を遣いながら押圧施術を行う必要がなく、器具を装着した施術者の指先の押圧力が分散することなく被施術者の所定の部位に集中することができ、効果的な指圧を実現できるものである。
【図面の簡単な説明】
【００１４】
【図１】本考案の実施形態の全体斜視図。
【図２】同正面図。
【図３】同使用状態の側面図。
【考案を実施するための形態】
【００１５】
次に本考案の実施形態について説明する。実施形態に示した指装着用指圧具は、ベース部１と指圧用突起２とバンド３で構成されるものである。
【００１６】
ベース部１は、非磁性金属板製（例えば純チタン製又はチタン合金製或いは非磁性ステンレス鋼）で親指の指先の腹部分に対応する大きさの板状で、指元側の側縁部分を湾曲して立ち上げて指先の腹に密着するような形状に形成し、更に前記湾曲立ち上げ部分１１の側縁に、開翼状に斜め方向に突設し、当該突設箇所にバンド連結取付用孔を形成してバンド連結部１２としたものである。
【００１７】
また先端部分の下面には、下記の指圧用突起２の装着用凹部或いは装着用透孔を設けてなる。
【００１８】
指圧用突起２は、半球状（半径６〜８ｍｍ）で、前記のベース部の材質と同様に非磁性金属製で、装着用凹部に嵌合して接着し、或いは装着用透孔に嵌合して溶着する。更に前記指圧用突起２には、突起最下部の箇所に永久磁石２１を埋設する。
【００１９】
バンド３は、前記バンド連結部１２に装着して、ベース部１を指先の所定位置にしっかりと装着できるものであれば、適宜選択できるもので、例えば面ファスナーで形成すると、任意位置でのバンド連繋が可能であるので、締め付けての装着がなされる。
【００２０】
またバンド３は、面ファスナーに替えて、バンド連結部１２間を結ぶ伸縮性を備えた帯体（ゴムバンド）で形成しても良く、面ファスナー同様に締め付けての装着がなされる。
【００２１】
しかして、ベース部１に施術者（器具使用者）の指先Ａの腹に載せ、バンド３を指先の爪Ｂより指元側で締め付けて装着し、指圧用突起２で被施術者の身体の所定の部位を押圧刺激して指圧を施すものである。
【００２２】
特に前記器具は、指圧用突起２が単一の半球状に形成されているので、当該指圧箇所に押圧力が集中すると共に、バンド３の締め付け位置が爪元であるので、バンド３が邪魔にならず指先に力を加え、更に永久磁石２１による磁気的作用も期待できるものである。
【００２３】
また本考案はベース部１及び指圧用突起２を樹脂一体成型で製出することもでき、樹脂製や金属製何れにおいても、磁石を組み込まずに形成しても良い。
【符号の説明】
【００２４】
１      ベース部
１１    湾曲立ち上げ部分
１２    バンド連結部
２      指圧用突起
２１    永久磁石
３      バンド
【図１】
0003190812.tif 000003
【図２】
0003190812.tif 000004
【図３】
0003190812.tif 000005